(57)【特許請求の範囲】
【請求項１】
筐体と、
この筐体内に収容される組み付け枠とこの組み付け枠に組み付けられる遊技盤とからなる遊技機本体と、
前記筐体にその前側から開閉可能に支持される前扉とを備える循環式パチンコ遊技機において、
前記前扉と前記遊技機本体との間にて前記組み付け枠に支持される中扉であって中枠と前記遊技盤に対し遊技球の外径よりも少なくとも広い間隙をおいて平行に位置するように前記中枠に組み付けられる透明板とを有する中扉と、
前記組み付け枠の上縁部を前記筐体の上縁部にその下側から懸架することで前記組み付け枠を前記筐体に前後方向に傾動可能に支持する傾動支持手段と、
前記組み付け枠の下縁部を前記筐体の下縁部にその上側から連結手段により前後方向に傾動調整可能に支持する傾斜角度調整手段とを備えることを特徴とする循環式パチンコ遊技機。
【請求項２】
前記中扉は、前記前扉と前記遊技盤との間で開閉可能に前記組み付け枠に支持されていることを特徴とする請求項１に記載の循環式パチンコ遊技機。
【発明の詳細な説明】
【技術分野】
【０００１】
本発明は、発射装置から発射される遊技球を筐体内の通路を経て発射装置に戻すことが可能な循環式パチンコ遊技機に関する。
【背景技術】
【０００２】
従来、この種の循環式パチンコ遊技機の例としては、下記特許文献１に記載のパチンコ遊技機が提案されている。当該パチンコ遊技機は、筐体と、この筐体に組み付けられる枠体と、この枠体に組み付けられる遊技盤と、枠体に開閉可能に支持される前扉とを備えている。
【先行技術文献】
【特許文献】
【０００３】
【特許文献１】特開平１０−１９２４８１号公報
【発明の概要】
【発明が解決しようとする課題】
【０００４】
ところで、一般的に、パチンコ遊技機は、通常、遊技球を遊技盤の盤面に沿うように良好に転動させるために、遊技盤をその盤面にて水平面に対し所定の傾斜角度を維持するように配設される。従って、循環式パチンコ遊技機においても、遊技盤はその盤面にて水平面に対し上記所定の傾斜角度を維持するように筐体に組み付けられることが要求される。
【０００５】
しかしながら、上記構成において、筐体の設置面が水平面ではなく傾斜面であると、当該筐体は、上記所定の傾斜角度とは異なる角度にて設置されることとなる。従って、遊技盤を、単に、筐体内に組み付けるのみでは、遊技盤がその盤面にて水平面に対し上記所定の傾斜角度とは異なる角度に維持されることとなる。これでは、上述した遊技球の良好な転動は得られない。
【０００６】
また、前扉を開いた状態では、遊技盤に設けた遊技釘や各種の盤面部品に直接触れ易く、不正行為を誘発するおそれがある。これに対しては、遊技盤の盤面を、前扉とは別の扉でもって覆うことが考えられる。この場合、当該別の扉が遊技盤の盤面との間で球噛みを招くおそれがある。
【０００７】
そこで、本発明は、以上のようなことに対処するため、遊技盤の筐体に対する組み付け構成に工夫を凝らし、筐体の水平面に対する傾斜角度とはかかわりなく、遊技盤をその盤面にて水平面に対し所定の傾斜角度を維持すべく筐体に組み付けるようにするとともに、前扉を開いた状態における不正行為を未然に防止するようにした循環式パチンコ遊技機を提供することを目的とする。
【課題を解決するための手段】
【０００８】
上記課題の解決にあたり、本発明に係る循環式パチンコ遊技機は、請求項１の記載によれば、
筐体（Ｂ１、ＰＮ）と、
この筐体内に収容される組み付け枠（１１）とこの組み付け枠に組み付けられる遊技盤（１２）とからなる遊技機本体（ＰＢ）と、
筐体にその前側から開閉可能に支持される前扉（ＦＤ）とを備える。
【０００９】
当該循環式パチンコ遊技機において、
前扉と遊技機本体との間にて組み付け枠に支持される中扉であって中枠（５１）と遊技盤に対し遊技球の外径よりも少なくとも広い間隙をおいて平行に位置するように中枠に組み付けられる透明板（５２）とを有する中扉（ＩＤ）と、
組み付け枠の上縁部を筐体の上縁部にその下側から懸架することで組み付け枠を筐体に前後方向に傾動可能に支持する傾動支持手段（２０）と、
組み付け枠の下縁部を筐体の下縁部にその上側から連結手段（２３）により前後方向に傾動調整可能に支持する傾斜角度調整手段（４０）とを備えることを特徴とする。
【００１０】
これにより、当該循環式パチンコ遊技機を設置面上に立設した状態において、組み付け枠の下縁部の筐体の下縁部に対する傾斜角度調整手段による支持を緩めて、組み付け枠の上縁部を、傾動支持手段でもって、筐体の上縁部にその下側から懸架することで組み付け枠を筐体に前後方向に傾動可能に支持するようにした状態にすれば、遊技盤の盤面が、その下縁部から上縁部にかけて後方へ水平方向に対し所定の傾斜角度を維持するように、傾斜角度調整手段でもって組み付け枠の下部を前後方向に容易に移動調整することができる。
【００１１】
従って、上記設置面が当該循環式パチンコ遊技機の前方或いは後方に傾斜していても、上述のような移動調整でもって、遊技盤の盤面を上記所定の傾斜角度を維持するように容易にしかも精度よく調整し得るとともに、このような調整の後に傾斜角度調整手段でもって組み付け枠の下縁部を筐体の下縁部にしっかりと支持することで、遊技盤は、その盤面にて上記所定の傾斜角度に維持することができる。
【００１２】
また、上述のごとく、中扉が、前扉と遊技機本体との間にて組み付け枠に支持されているから、中扉は遊技盤をその盤面側から覆っている。このため、前扉を開いても、盤面に設けられる遊技釘や各種の盤面部品に直接触れることができない。従って、前扉を開いても、遊技釘や盤面部品に対する不正行為を未然に防止することができる。
【００１３】
さらに、上述のごとく、中扉がその透明板にて遊技盤に対し遊技球の外径よりも少なくとも広い間隙をおいて平行に位置するように組み付け枠に支持されている。従って、上述のように、組み付け枠をその上部にて筐体の上部に前後方向に傾動可能に支持した状態で、遊技盤の傾きを調整するにあたり、遊技盤が前後方向に傾動しても、中扉の透明板は遊技盤に対し常に遊技球の外径よりも少なくとも広い間隙をおいて平行に維持され得る。
【００１４】
このため、中扉の透明板の遊技盤との間が、球噛みを生じないように維持されることとなり、その結果、遊技球は、中扉の透明板と遊技盤との間において遊技盤の盤面に沿い円滑に転動することができる。
【００１５】
以上によれば、遊技盤の筐体に対する組み付け構成に工夫を凝らし、筐体の水平面に対する傾斜角度とはかかわりなく、遊技盤をその盤面にて水平面に対し所定の傾斜角度を維持すべく筐体に組み付けるようにするとともに、前扉を開いた状態における不正行為を未然に防止するようにした循環式パチンコ遊技機を提供することが可能となる。
【００１６】
また、本発明は、請求項２の記載によれば、請求項１に記載の循環式パチンコ遊技機において、
中扉は、前扉と遊技盤との間で開閉可能に組み付け枠に支持されていることを特徴とする。
【００１７】
これにより、必要に応じて中扉を開いて遊技盤の盤面を開放し得るから、遊技盤の盤面上のメンテナンスその他各種の対策を容易に施すことができる。
【００１８】
なお、本発明において、傾動支持手段は、
筐体の上壁部（Ｂ１ａ）にその下方から設けられる上側共通部材（２４）と、
組み付け枠の上縁部（１１ａ）にその上方から左右方向に間隙をおいて設けられる左右両下側支持部材（２１、２２）とを具備し、
連結手段は、
左側支持部材を上側共通部材の左側部位に対し同軸的に回動可能に連結する左側連結部材（２７、３３）と、
右側支持部材を上側共通部材の右側部位に対し同軸的に回動可能に連結する右側連結部材（２８、３４）とを具備するようにしてもよい。
【００１９】
ここで、傾斜角度調整手段は、
組み付け枠の下縁部（１１ｂ）にその下方へ延出するように設けられる上側部材（４１）と、
当該上側部材の直下にて筐体の下壁部（Ｂ１ｃ）から上方へ延出されて上側部材に対し前後方向に移動調整可能に連結される下側部材（４２、４３、４４）とを具備するようにしてもよい。
【００２０】
また、このような本発明において、
筐体の底壁の設置面からの高さを調整する高さ調整手段（Ｂ４）を備えており、
傾動支持手段において、
上側共通部材は、
筐体の上記上壁部に沿いその下方から装着される上板（２４ｂ）と、
この上板にその下面に沿い左右方向に間隔をおいて装着される左右下側支持具であってそれぞれ左右に間隔をおいて左右両側突出片部（２５ｂ、２５ｃ、２６ｂ、２６ｃ）を下方へ突出させてなる左右下側支持具（２５、２６）とを具備しており、
左下側支持部材は、組み付け枠の上縁部のうち左側部位に沿いその上方から装着される左側基板部（２１ｂ）と、この左側基板部から左下側支持具の上記左右両側突出片部（２５ｂ、２５ｃ）の間に向け突出する連結軸孔部（２１ａ）とを具備しており、
右下側支持部材は、組み付け枠の上縁部のうち右側部位に沿いその上方から装着される右側基板部（２２ｂ）と、この右側基板部から右下側支持具の上記左右両側突出片部（２６ｂ、２６ｃ）の間に向け突出する連結軸孔部（２２ａ）とを具備しており、
連結手段において、
左側連結部材は、左下側支持具の上記左右両側突出片部の一方、左下側支持部材の上記連結軸孔部及び左下側支持具の上記左右両側突出片部の他方に同軸的にかつ相対回動可能に挿通される左側連結ボルト（２７）と、この左側連結ボルトの挿通端部に螺脱可能に締着されて当該左側連結ボルトの頭部との間に左下側支持具の上記左右両側突出片部を挟持する左側ナット（３３）とを具備しており、
右側連結部材は、右下側支持具の上記左右両側突出片部の一方、右下側支持部材の上記連結軸孔部及び右下側支持具の上記左右両側突出片部の他方に同軸的にかつ相対回動可能に挿通される右側連結ボルト（２８）と、この右側連結ボルトの挿通端部に螺脱可能に締着されて当該右側連結ボルトの頭部との間に右下側支持具の上記左右両側突出片部を挟持する右側ナット（３４）とを具備しており、
傾斜角度調整手段において、
上側部材は、組み付け枠の下縁部から下方へ左右に間隔をおいて延出する左右両側板部（４１ｂ、４１ｃ）からなり、
下側部材は、筐体の下縁部から上記左右両側板部に向けて延出する延出板部（４２ｂ）と、この延出板部から上記左右両側板部に沿い前後方向に延出する左右両側腕部であってそれぞれ前後方向に長穴状に長穴部（４２ｅ、４２ｆ）を形成してなる左右両側腕部（４２ｃ、４２ｄ）と、左右両側ねじ（４３、４４）とを具備してなり、
上記左側腕部は、その長穴部を通して左側ねじを上記左側板部に形成した雌ねじ孔部（４１ｄ）に対し前後方向に移動調整可能に締着することで、左側ねじの頭部と上記左側板部との間に挟持され、
上記右側腕部は、その長穴部を通して右側ねじを上記右側板部に形成した雌ねじ孔部（４１ｅ）に対し前後方向に移動調整可能に締着することで、右側ねじの頭部と上記右側板部との間に挟持されるようにしてもよい。
【発明の効果】
【００２１】
本発明によれば、筐体の設置面が前方或いは後方に傾斜していても、遊技機本体の組み付け枠を筐体の上縁部にその下側から懸架して前後方向に傾動可能に支持した状態にすれば、遊技盤の盤面が上記所定の傾斜角度を維持するように、組み付け枠の下縁部を前後方向に容易に精度よく移動調整することができる。
【００２２】
なお、上記各手段の括弧内の符号は、後述する実施形態に記載の具体的手段との対応関係を示す。
【図面の簡単な説明】
【００２３】
【図１】本発明に係る循環式パチンコ遊技機を適用してなるパチンコ遊技ユニットの一実施形態を示す斜視図である。
【図２】図１のパチンコ遊技ユニットを、そのパネルを除いた状態にて示す斜視図である。
【図３】図２のパチンコ遊技ユニットの分解斜視図である。
【図４】図２のパチンコ遊技ユニットを、循環式パチンコ遊技機の前扉を開けた状態にて示す斜視図である。
【図５】図２のパチンコ遊技ユニットを、循環式パチンコ遊技機の前扉及び中扉を開けた状態にて示す斜視図である。
【図６】図２のパチンコ遊技ユニットを、前扉を省略した状態で示す斜視図である。
【図７】図１のパチンコ遊技ユニットにおける循環式パチンコ遊技機の側面図である。
【図８】上記実施形態における傾動支持機構を循環式パチンコ遊技機側の骨格構造部及び遊技機本体の組み付け枠との関係にて示す分解斜視図である。遊技機本体の上端部に上側連結部材を取付けた状態を示す要部縦断面図である。
【図９】図８の傾動支持機構の部分破断縦断面図である。
【図１０】図９の１０−１０線に沿う断面図である。
【図１１】図７の傾動調整機構を、組み付け枠及び循環式パチンコ遊技機側骨格構造部との関係にて示す部分破断斜視図である。
【図１２】図７の傾動調整機構を、組み付け枠及び循環式パチンコ遊技機側骨格構造部との関係にて示す部分破断斜視図である。
【発明を実施するための形態】
【００２４】
以下、本発明の一実施形態を図面により説明する。
【００２５】
図１は、本発明に係る循環式パチンコ遊技機Ｐがパチンコ遊技ユニットに適用されてなる一実施形態を示している。当該パチンコ遊技ユニットは、イベント会場などに設置されて用いられる。なお、図１において、図示左右両側は、当該パチンコ遊技ユニットの左右両側に対応し、図示上下両側は、当該パチンコ遊技ユニットの上下両側に対応する。また、図１において、図示手前及び奥側は、当該パチンコ遊技ユニットの前側及び後側に対応する。
【００２６】
また、当該パチンコ遊技ユニットは、図２或いは図３にて示すごとく、循環式パチンコ遊技機Ｐ及び演出装置Ｓにおいて共通な骨格構造Ｂを備えており、当該骨格構造Ｂは、循環式パチンコ遊技機Ｐのための骨格構造部Ｂ１及び演出装置Ｓのための骨格構造部Ｂ２でもって構成されている。
【００２７】
ここで、骨格構造部Ｂ２は、図２或いは図３にて示すごとく、骨格構造部Ｂ１に対し所定の交差角度をなすように当該骨格構造部Ｂ１と一体的に構成されている。詳細には、骨格構造部Ｂ２は、その右側前部にて、上記所定の交差角でもって、骨格構造部Ｂ１の左側前部と一体的となるように構成されている。これにより、骨格構造部Ｂ２は、その前面にて、図２にて示すごとく、骨格構造部Ｂ１の前側を右斜め方向に臨むように、骨格構造部Ｂ１と共に設置面上に立設されている（図２参照）。
【００２８】
本実施形態では、両骨格構造部Ｂ１、Ｂ２は、その各底壁にて、同一面内に位置するように形成されている。また、骨格構造Ｂは、骨格構造部Ｂ１の右壁、両骨格構造部Ｂ１、Ｂ２の各上壁、各後壁及び骨格構造部Ｂ２の左壁、骨格構造部Ｂ１の前壁下部並びに骨格構造部Ｂ２の前壁にて、パネルＰＮにより覆われている。
【００２９】
これにより、骨格構造部Ｂ１は、パネルＰＮのうち骨格構造部Ｂ１に対する対応パネル部位と共に、循環式パチンコ遊技機Ｐの筐体を構成し、また、骨格構造部Ｂ２は、パネルＰＮのうち骨格構造部Ｂ２に対する対応パネル部位と共に、演出装置Ｓの筐体を構成する。このことは、当該パチンコ遊技ユニットの筐体は、設置面上に立設される循環式パチンコ遊技機Ｐ及び演出装置Ｓの双方の筐体で構成されることを意味する。
【００３０】
また、当該パチンコ遊技ユニットは、例えば、図２、図４、図５及び図６のいずれかにて示すごとく、前後左右各側のキャスターＢ３と、前後左右各側の高さ調整素子Ｂ４を備えている。前左側キャスターＢ３は、骨格構造部Ｂ２の底壁の左前側隅角部にその下方から組み付けられている。右前側キャスターＢ３は、骨格構造部Ｂ１の前面右縁下部に設けた直角三角枠状ステイＳＴ１の突出端部にその下方から組み付けられている。
【００３１】
ここで、直角三角枠状ステイＳＴ１は、図２にて例示するごとく、骨格構造部Ｂ１の前面右縁下部と、当該骨格構造部Ｂ１の前面右縁下側中間部位部から前側下方へ向け傾斜状に突出する傾斜板部と、骨格構造部Ｂ１の前面右縁下端部から前方へ直線状に突出する直線板部とでもって、直角三角枠状に形成されている。そして、右前側キャスターＢ３は、直角三角枠状ステイＳＴ１の突出端部に相当する上記傾斜板部及び上記直線板部との連結部にその下方から組み付けられている。
【００３２】
左後側キャスターＢ３は、図５にて示すごとく、骨格構造部Ｂ２の底壁の左後側隅角部にその下方から組み付けられている。また、右後側キャスターＢ３は、図２にて例示するごとく、骨格構造部Ｂ１の右壁後側下端部位から右側へ直線状に突出する板状ステイＳＴ２にその下方から組み付けられている。
【００３３】
このように組み付けられた前後左右各側キャスターＢ３は、その各ローラにて、骨格構造Ｂをその下方から上記設置面に沿い移動可能に支持する。
【００３４】
前後左右各側高さ調整素子Ｂ４のうち、前左側高さ調整素子Ｂ４は、前左側キャスターＢ３に隣接して、骨格構造部Ｂ２の底壁の左前側隅角部にその下方から高さ調整可能に組み付けられている。前右側高さ調整素子Ｂ４は、右前側キャスターＢ３に隣接して、骨格構造部Ｂ１の前面右縁下部に設けた直角三角枠状ステイＳＴ１の突出端部に高さ調整可能に組み付けられている。
【００３５】
左後側高さ調整素子Ｂ４は、左後側キャスターＢ３に隣接して、骨格構造部Ｂ２の底壁の左後側隅角部にその下方から高さ調整可能に組み付けられている。また、右後側高さ調整素子Ｂ４は、右後側キャスターＢ３に隣接して、骨格構造部Ｂ１の右壁後縁下端部から右側へ直線状に突出する板状ステイＳＴ２にその下方から高さ調整可能に組み付けられている。
【００３６】
このように組み付けられた前後左右各側高さ調整素子Ｂ４は、その各高さ方向調整部の調整により、前後左右各側のキャスターＢ３のローラを上記設置面上に回動可能に当接させた状態で、各骨格構造部Ｂ１、Ｂ２の底壁を水平になるように調整する。
【００３７】
循環式パチンコ遊技機Ｐは、図２〜図７のいずれかにて示すごとく、骨格構造Ｂのうち骨格構造部Ｂ１及びその上記対応パネル部位からなる筐体と、遊技機本体ＰＢ（図３参照）と、中扉ＩＤと、前扉ＦＤとにより構成されている。
【００３８】
遊技機本体ＰＢは、図３にて示すごとく、組み付け枠１１と、遊技盤１２と、傾動支持機構２０と、傾斜角度調整機構４０とを備えている。
【００３９】
組み付け枠１１は、後述のごとく、その上縁部にて、傾動支持機構２０を介し、骨格構造部Ｂ１の前側上壁部Ｂ１ａ（図３参照）に前後方向へ傾動可能に支持されている。
【００４０】
傾動支持機構２０は、図８〜図１０のいずれかにて示すごとく、左右下側支持部材２１、２２と、上側共通支持部材２４と、連結具２３とを備えている。
【００４１】
左右下側支持部材２１、２２のうち、左下側支持部材２１は、連結軸孔部２１ａを長手状基板部２１ｂの長手方向中央部から上方へ突出させて構成されており、当該左下側支持部材２１は、長手状基板部２１ｂにて、組み付け枠１１の後方枠部の上縁部１１ａ（図８参照）のうちその左側部位上に左右方向に沿うように装着されている。
【００４２】
また、右下側支持部材２２は、連結軸孔部２２ａを長手状基板部２２ｂの長手方向中央部から上方へ突出させて構成されており、当該右下側支持部材２２は、長手状基板部２２ｂにて、組み付け枠１１の後方枠部の上縁部１１ａのうちその右側部位上に左右方向に沿うように装着されている。これにより、左右下側支持部材２１、２２は、図８にて示すごとく、組み付け枠１１の後方枠部の上縁部１１ａ上に左右に間隔をおいて並んで位置する。
【００４３】
上側共通支持部材２４は、図８にて示すごとく、複数のねじ孔部２４ａを有する上板２４ｂと、左右上側支持具２５、２６とを備えている。
【００４４】
上側共通支持部材２４は、各ボルト３７を、骨格構造部Ｂ１の前側上壁部Ｂ１ａに形成した各挿通孔部Ｂ１ｂを上方から通して上板２４ｂの各ねじ孔部２４ａに締着することで、骨格構造部Ｂ１の前側上壁部Ｂ１ａにその下方から組み付けられている（図８参照）。
【００４５】
左右上側支持具２５、２６のうち、左上側支持具２５は、長手状基板部２５ａと、この基板部２５ａの長手方向中間部位から左右方向に間隔をおいて下方へ突出する両突出片部２５ｂ、２５ｃとにより構成されている。しかして、左上側支持具２５においては、基板部２５ａが、上板２４ｂの左側部位にその下方から左右方向に沿うように装着されている。
【００４６】
また、右上側支持具２６は、長手状基板部２６ａと、この基板部２６ａの長手方向中間部位から左右方向に間隔をおいて下方へ突出する両突出片部２６ｂ、２６ｃとにより構成されている。しかして、右上側支持具２６においては、基板部２６ａが、上板２４ｂの右側部位にその下方から左右方向に沿うように装着されている。
【００４７】
連結具２３は、図８にて示すごとく、両連結ボルト２７、２８と、各両軸受け２９、３０；３１、３２と、両ナット３３、３４と、両ワッシャ３５、３６とを備えている。
【００４８】
連結ボルト２７は、ナット３３との締着でもって、左上側支持具２５の両突出片部２５ｂ、２５ｃを左下側支持部材２１にその連結軸孔部２１ａを介し相対回動可能に連結している。
【００４９】
ここで、この連結は、連結ボルト２７を、左上側支持具２５の突出片部２５ｂに形成した挿通孔部２５ｄ、軸受け２９の軸孔部２９ａ、左下側支持部材２１の連結軸孔部２１ａ、軸受け３０の軸孔部３０ａ、左上側支持具２５の突出片部２５ｃに形成した挿通孔部２５ｅ及びワッシャ３５に挿通してナット３３と締着することでなされている。
【００５０】
なお、両軸受け２９、３０は、左下側支持部材２１の連結軸孔部２１ａの軸方向両端部に形成した筒状凹部内に同軸的に嵌装されている。
【００５１】
また、連結ボルト２８は、図９にて示すごとく、ナット３４との締着でもって、右上側支持具２６の両突出片部２６ｂ、２６ｃを右下側支持部材２２にその連結軸孔部２２ａを介し相対回動可能に連結している。
【００５２】
ここで、この連結は、連結ボルト２８を、右上側支持具２６の突出片部２６ｂに形成した挿通孔部２６ｄ、軸受け３１の軸孔部３１ａ、右下側支持部材２２の連結軸孔部２２ａ、軸受け３２の軸孔部３２ａ、右上側支持具２６の突出片部２６ｃに形成した挿通孔部２６ｅ及びワッシャ３６に挿通してナット３４と締着することでなされている（図９及び図１０参照）。
【００５３】
なお、両軸受け３１、３２は、右下側支持部材２２の連結軸孔部２２ａの軸方向両端部に形成した筒状凹部内に同軸的に嵌装されている。
【００５４】
以上のように構成することで、組み付け枠１１は、その上縁部にて、傾動支持機構２０により、骨格構造部Ｂ１内にてその前側上壁部Ｂ１ａである上縁部にその下側から前後方向に傾動可能に懸架されて支持されている。
【００５５】
傾斜角度調整機構４０は、図７、図１１及び図１２のいずれかにて示すごとく、組み付け枠１１の後方枠部の下縁部１１ｂ（図１１参照）にその右側部位から下方へ延出するように組み付けられている。
【００５６】
当該傾斜角度調整機構４０は、上側板部材４１と、下側板部材４２とを備えており、上側板部材４１は、基板部４１ａと、左右両側板部４１ｂ、４１ｃとによって、コ字状に構成されている。しかして、上側板部材４１は、左右両側板部４１ｂ、４１ｃを基板部４１ａの左右方向両端部から前方に向けＬ字状に延出させるようにして、上側板部材４１及び左右両側板部４１ｂ、４１ｃにて組み付け枠１１の下縁部１１ｂの右側部位から下方へ延出されている。
【００５７】
下側板部材４２は、図１２にて示すごとく、固定板部４２ａと、中間板部４２ｂと、左右両側腕板部４２ｃ、４２ｄとを備えている。しかして、固定板部４２ａは、中間板部４２ｂの下端部から前方へＬ字状に折れ曲がって延出されており、一方、左右両側腕板部４２ｃ、４２ｄは、中間板部４２ｂの上側左右両側端部から互いに対向するように前方へＬ字状に折れ曲がって延出されている（図１２参照）。
【００５８】
ここで、左右両側腕板部４２ｃ、４２ｄのうち、左側腕板部４２ｃは、長穴部４２ｅを有しており、この長穴部４２ｅは、左側腕板部４２ｃの上下方向中間部位に前後方向に長楕円形状に形成されている。また、右側腕板部４２ｄは、長穴部４２ｆを有しており、この長穴部４２ｆは、右側腕板部４２ｄの上下方向中間部位に、長穴部４２ｅに対向するように、前後方向に長楕円形状に形成されている。なお、両長穴部４２ｅ、４２ｆは、同一の長楕円形状に形成されている。
【００５９】
このように構成した下側板部材４２においては、左側腕板部４２ｃが、調整ねじ４３を介して上側板部材４１の左側板部４１ｂに前後方向に移動可能に連結されている。詳細には、この連結は、調整ねじ４３を、左側腕板部４２ｃの長穴部４２ｅを通して、左側板部４１ｂに形成した雌ねじ孔部４１ｄに螺合するとともに、調整ねじ４３の頭部と左側腕板部４２ｃとの間にその長穴部４２ｅの外周部を挟持することで、なされている。
【００６０】
また、右側腕板部４２ｄが、調整ねじ４４を介して上側板部材４１の右側板部４１ｃに前後方向に移動可能に連結されている。詳細には、この連結は、調整ねじ４４を、右側腕板部４２ｄの長穴部４２ｆを通して、右側板部４１ｃに形成した雌ねじ孔部４１ｅに螺合するとともに、調整ねじ４４の頭部と右側腕板部４２ｄとの間にその長穴部４２ｆの外周部を挟持することで、なされている。なお、下側板部材４２の中間板部４２ｂは、その上部にて、上側板部材４１の基板部４１ａにその後面に沿うように位置している。
【００６１】
以上のように構成した傾斜角度調整機構４０は、組み付け枠１１の下縁部１１ｂの右側部位から下方へ突設してなる上側板部材４１に、下側板部材４２をその左右両側腕板部４２ｃ、４２ｄにて両調整ねじ４３、４４により前後方向に移動調整可能に組み付けて構成されている。
【００６２】
ここで、下側板部材４２は、その下面にて、骨格構造部Ｂ１の前側下壁部Ｂ１ｃ（図１１参照）の上面に沿い前後方向に移動不能に、両ねじ４５（図１１参照）の締着でもって、前側下壁部Ｂ１ｃに支持されている。なお、両ねじ４５（図１１参照）は、下側板部材４２に形成した両貫通孔部ｈ（図１２参照）に挿通されて、前側下壁部Ｂ１ｃに形成した両雌ねじ孔部（図示しない）に螺脱可能に締着されている。
【００６３】
遊技盤１２は、組み付け枠１１に前面側から嵌装されている（図５参照）。当該遊技盤１２の盤面１２ａには、ガイドレール１２ｂが、図３或いは図５にて示すごとく、設けられており、このガイドレール１２ｂは、その内周面側にて、盤面１２ａ上に遊技領域１２ｃを特定する。
【００６４】
中扉ＩＤは、その右側縁部にて、遊技機本体ＰＢの組み付け枠１１の右側縁部に前後方向に回動可能に支持されて、遊技盤１２を前後方向に開閉可能とするようになっている。これにより、この中扉ＩＤは、その閉成により、遊技盤１２を覆い、その開成により、遊技盤１２を前方に開放する。
【００６５】
当該中扉ＩＤは、中枠５１と、この中枠５１に嵌装してなる透明のガラス板５２と、中枠５１の上部にその後方から装着してなる装飾板５３とを備えている（図３参照）。ここで、中枠５１は、その右側縁部（中扉ＩＤの右側縁部に相当）にて、組み付け枠１１の右側縁部に前後方向に回動可能に支持されている。本実施形態では、中扉ＩＤが閉じたとき、当該中扉ＩＤのガラス板５２は、その後面にて、遊技盤１２の盤面１２ａに平行となっている。このことは、ガラス板５２の後面と盤面１２ａとの間の間隙は、一様であることを意味する。但し、ガラス板５２の後面と盤面１２ａとの間の間隙は、球噛みを生じない間隙、例えば、少なくとも遊技球の外径よりも広い間隙に設定されている。
【００６６】
前扉ＦＤは、その右側縁部にて、中扉ＩＤを介し、骨格構造部Ｂ１（換言すれば骨格構造部Ｂ１及びパネルＰＮのうち骨格構造部Ｂ１に対する対応パネル部位からなる筐体）の右側縁部に対し前後方向に回動可能に支持されている。当該前扉ＦＤは、前枠６１と、この前枠６１の中空部にその後方から嵌装してなる透明のガラス板６２とにより構成されている（図１参照）。
【００６７】
ここで、前枠６１は、その右側縁部（前扉ＦＤの右側縁部に相当）にて、骨格構造部Ｂ１（換言すれば骨格構造部Ｂ１及びパネルＰＮのうち骨格構造部Ｂ１に対する対応パネル部位からなる筐体）の右側縁部に前後方向に回動可能に支持されている。しかして、前扉ＦＤは、閉じたとき、中扉ＩＤを覆うとともに、ガラス板６２にて、ガラス板５２に対向して位置する。また、前扉ＦＤは、開いたとき、中扉ＩＤを前方へ開放する。
【００６８】
また、前枠６１は、図１〜図５のいずれかにて例示するごとく、その下部内にて、球貯留部６１ａを有しており、この球貯留部６１ａは、その内部に、所定個数の遊技球を貯留することで封入する。しかして、当該球貯留部６１ａ内に貯留された各遊技球は、操作ハンドルＨの回動操作に伴い、組み付け枠１１の下部に組み付けた球発射機構１３（図５参照）に順次送られて当該球発射機構１３の打球槌（図示しない）により打たれて発射レール（図示しない）及びガイドレール１２ｂを介し遊技領域１２ｃ内に発射される。
【００６９】
そして、このように遊技領域１２ｃ内に発射された遊技球は、遊技盤１２の盤面１２ａに沿い下方へ転動してスタートチャッカーその他の各種盤面部品のいずれかに入球するか、或いはアウト口（図示しない）から排出されると、当該遊技球は、再び、球貯留部６１ａ内に戻って貯留される。
【００７０】
このことは、球貯留部６１ａ内の各遊技球が、球発射機構１３、ガイドレール１２ｂ、盤面部品やアウト口を通り、再び球貯留部６１ａ内に戻るように循環することを意味する。なお、球貯留部６１ａ内の各遊技球は、前枠６１の下部の傾斜状の透明前面を通して視認可能となっている。なお、操作ハンドルＨは、前枠６１の右下隅角部に支持されている。また、施錠装置Ｋは、骨格構造部Ｂ１（換言すれば、骨格構造部Ｂ１及びパネルＰＮのうち骨格構造部Ｂ１に対する対応パネル部位からなる筐体）の左縁部のうち上下方向中間部位に形成した鍵穴部（図示しない）にキー（図示しない）を挿入操作して、前扉ＦＤを、中扉ＩＤを介し、骨格構造部Ｂ１及びパネルＰＮのうち骨格構造部Ｂ１に対する対応パネル部位からなる筐体に施錠し或いはこの施錠を解錠するように構成されている。
【００７１】
演出装置Ｓは、図１或いは図２にて示すごとく、骨格構造部Ｂ２及びその上記対応パネル部位からなる筐体と、音声発生器Ｓ１と、演出表示器（図示しない）とを備えている。
【００７２】
音声発生器Ｓ１は、図２にて示すごとく、骨格構造部Ｂ２の下部内に配設されている。また、上記演出表示器は、骨格構造部Ｂ２の上部に組み付けられており、この演出表示器は、その液晶パネルＳ３（図１参照）にて、演出装置Ｓの前方を臨んでいる。
【００７３】
しかして、当該演出装置Ｓは、循環式パチンコ遊技機Ｐにおいて、例えば、遊技球のスタートチャッカーへの入賞に伴いなされる大当たり抽選や大当たりの際の遊技球の払い出しに代わる演出表示や音声表示等を、上記演出表示器や音声発生器Ｓ１により行う。
【００７４】
これにより、循環式パチンコ遊技機Ｐによる遊技では、大当たり抽選や大当たりに伴う払い出し等に対する各種演出が行われずに、上述のごとく単に封入遊技球を循環させるにすぎなくても、演出装置Ｓでもって、上記各種演出を行うことで、循環式パチンコ遊技機による遊技性を高めることができる。
【００７５】
以上のように構成した本実施形態において、当該パチンコ遊技ユニットを、例えば、イベント会場にて設置するにあたっては、次のようにして行う。
【００７６】
ここで、当該パチンコ遊技ユニットは、上記イベント会場に搬入されるものとする。但し、遊技盤１２はその盤面にてその下縁部から上縁部にかけて骨格構造部Ｂ１の底壁に対し所定の傾斜角度だけ後方へ傾斜するように組み付け枠１１が骨格構造部Ｂ１に組み付けられているものとする。
【００７７】
本実施形態では、上記遊技盤１２の盤面の上記所定の傾斜角度は、次のような根拠により導入されている。
【００７８】
通常、パチンコ遊技機においては、遊技球の転動が遊技盤の盤面に沿い確実になされるためには、遊技盤の盤面が、その下縁部から上縁部にかけて、設置面に対し後方へ傾斜していることが望ましい。
【００７９】
そこで、本実施形態でも、設置面が水平面であるものと仮定した上で、当該設置面上に立設する骨格構造部Ｂ１の底壁が、設置面に平行に位置することを前提として、上記所定の傾斜角度が、遊技球の転動が遊技盤の盤面に沿い確実になされるに要する小角度でもって設定されている。
【００８０】
まず、このようにして搬入された当該パチンコ遊技ユニットを、上記イベント会場の設置面上に運搬して立設する。
【００８１】
現段階において、上記設置面が当該パチンコ遊技ユニットの後方から前方にかけて傾斜しているものとする。
【００８２】
この場合には、当該パチンコ遊技ユニットが上記設置面の前方への傾斜度合いに応じて前方へ傾いた状態で上記設置面上に立設することとなる。これに伴い、骨格構造Ｂも同様に前方に傾いた状態で上記設置面上に立設することとなる。
【００８３】
このような立設状態においては、骨格構造部Ｂ１の前方への傾きを解消するように、前後左右各側の高さ調整素子Ｂ４により、上記設置面の傾斜度合いに応じて、骨格構造Ｂの前後左右隅角部の上記設置面からの各高さを調整する。これにより、骨格構造部Ｂは、その底壁にて、ほぼ水平となるように高さ調整され得る。
【００８４】
しかしながら、上述のように、遊技盤１２がその盤面にてその下縁部から上縁部にかけて骨格構造部Ｂ１の底壁に対し所定の傾斜角度だけ後方へ傾斜するように、組み付け枠１１が骨格構造部Ｂ１に組み付けられていても、遊技盤１２の盤面の上記所定の角度は、上述のごとく、小さな角度であるため、上述のような前後左右各側の高さ調整素子Ｂ４による高さ調整に依ってのみでは、遊技盤１２の盤面を、上述のように前方に傾斜する設置面を前提に、水平方向に対し上記所定の傾斜角度に精度よく調整することが困難である。
【００８５】
このため、次のようにして、遊技盤１２の盤面の傾斜角度を水平方向に対し上記所定の傾斜角度となるように微調整する。
【００８６】
まず、前扉ＦＤを開く。そして、傾斜角度調整機構４０において、両調整ねじ４３、４４の左右両側腕板部４２ｃ、４２ｄに対する締着を緩めると、組み付け枠１１が、その下部にて、傾斜角度調整機構４０の左右両側腕板部４２ｃ、４２ｄに対し前後方向に移動可能となる。これに伴い、組み付け枠１１は、骨格構造部Ｂ１に対し傾動支持機構２０により前後方向へ傾動自在に支持される。なお、傾斜角度調整機構４０の下側板部材４２は、前側下壁部Ｂ１ｃに移動不能に支持されたままである。
【００８７】
このような状態において、遊技盤１２の盤面が水平方向に対し上記所定の傾斜角度を維持するように、組み付け枠１１の下部を、傾斜角度調整機構４０の左右両側腕板部４２ｃ、４２ｄに対し前後方向に移動調整する。この移動調整は、両調整ねじ４３、４４を左右両側腕板部４２ｃ、４２ｄの各長穴部４２ｅ、４２ｆ内にて前後方向に移動調整することで行われる（図７にて図示実線及び図示破線参照）。
【００８８】
しかして、遊技盤１２の盤面が水平方向に対し上記所定の傾斜角度に維持されたとき、両調整ねじ４３、４４を左右両側腕板部４２ｃ、４２ｄに対し再び締着する。これにより、上記設置面が上述のように後方から前方へ傾斜しているために、骨格構造部Ｂ１が、前方へ傾斜していても、遊技盤１２の盤面が水平方向に対し上記所定の傾斜角度を維持するように精度よく調整され得る。
【００８９】
また、上述のように当該パチンコ遊技ユニットを上記イベント会場内にて上記設置面上に立設したとき、循環式パチンコ遊技機Ｐの遊技盤１２が、その盤面にて、その下縁部から上縁部にかけて骨格構造部Ｂ１の底壁に対し上記所定の傾斜角度だけ後方へ傾斜するように組み付け枠１１を介し骨格構造部Ｂ１に組み付けられていない場合であっても、骨格構造Ｂの前後左右隅角部の上記設置面からの各高さを、上述と同様にして、前後左右各側の高さ調整素子Ｂ４により、上記設置面の傾斜度合いに応じて調整することで、骨格構造Ｂの前方への傾斜を解消するように調整する。
【００９０】
然る後、上述と同様にして、遊技盤１２の盤面が、水平方向に対し上記所定の傾斜角度を維持するように、傾斜角度調整機構４０によって、遊技盤１２の盤面の傾きを調整する。これによっても、上記設置面が上述のように後方から前方へ傾斜しているために、骨格構造部Ｂ１が、前方へ傾斜していても、遊技盤１２の盤面が水平方向に対し上記所定の傾斜角度を維持するように精度よく調整され得る。
【００９１】
なお、上記設置面が、上述とは異なり、前方から後方へ傾斜している場合には、当該パチンコ遊技ユニットは、後方へ傾くように上記設置面上に立設されることとなる。このような場合でも、上述と同様にして、遊技盤１２の盤面が、水平方向に対し上記所定の傾斜角度を維持するように、傾斜角度調整機構４０によって、遊技盤１２の盤面の傾きを精度よく調整し得る。
【００９２】
以上説明したように、本実施形態によれば、当該パチンコ遊技ユニットを設置面上に立設した状態において、骨格構造部Ｂ１の傾きを上記設置面の前方或いは後方への傾きに応じて前後左右各側の高さ調整素子Ｂ４によって高さ調整することでほぼ解消し、然る後、組み付け枠１１を骨格構造部Ｂ１の上部から傾動支持機構２０により前後方向に傾動可能に支持した状態において、遊技盤１２の盤面が水平方向に対し上記所定の傾斜角度を維持するように、組み付け枠１１の下部を傾斜角度調整機構４０により前後方向に微調整する。
【００９３】
ここで、上述のように、遊技盤１２の盤面の角度を微調整するにあたり、組み付け枠１１が遊技盤１２とともに骨格構造部Ｂ１の上部に傾動支持機構２０により前後方向に傾動可能に支持されているから、遊技盤１２の盤面に対する上述の微調整を容易に行うことができる。
【００９４】
以上によれば、上記設置面が当該パチンコ遊技ユニットの循環式パチンコ遊技機Ｐの前後方向に傾斜していても、遊技盤１２の盤面が水平方向に対し上記所定の傾斜角度を維持するように、遊技盤１２の盤面の傾斜を精度よく調整し得る。
【００９５】
その結果、当該パチンコ遊技機Ｐによる遊技状態では、遊技球が、遊技盤１２の盤面に確実に沿い転動することができる。
【００９６】
また、上述のように遊技盤１２の盤面が角度調整されても、当該中扉ＩＤは閉じたままに維持されているから、中扉ＩＤは遊技盤１２をその盤面１２ａ側から覆っている。このため、前扉ＦＤを開いても、盤面１２ａに設けられる遊技釘や各種の盤面部品に直接触れることができない。従って、前扉ＦＤを開いても、遊技釘や盤面部品に対する不正行為を未然に防止することができる。
【００９７】
また、上述のごとく、中扉ＩＤが、前扉ＦＤと遊技盤１２との間にて組み付け枠１１に支持されており、かつ、中扉ＩＤが閉じた状態に維持されていれば、当該中扉ＩＤのガラス板５２が、その後面にて、遊技盤１２の盤面１２ａとの間にて上述のごとく遊技球の外径よりも少なくとも広い間隙を有するようにして、盤面１２ａに平行に維持される。
【００９８】
このように中扉ＩＤが、前扉ＦＤと遊技盤１２との間にて組み付け枠１１に支持されており、中扉ＩＤが閉じた状態にて維持されていれば、ガラス板５２が、その後面にて、遊技盤１２の盤面１２ａに平行に維持される。
【００９９】
従って、上述のように、組み付け枠１１を骨格構造部Ｂ１の上部から傾動支持機構２０により前後方向に傾動可能に支持した状態において、遊技盤１２の盤面１２ａを前後方向に傾動させても、ガラス板５２の遊技盤１２に対する平行状態は、変動することなく、常に維持され得る。
【０１００】
しかも、上述のごとく、上述のごとくガラス板５２の後面と遊技盤１２の盤面１２ａとの間に設定されている遊技球の外径よりも少なくとも広い間隙が、遊技盤１２の盤面１２ａを前後方向に傾動させても、変動することなく、維持され得る。
【０１０１】
その結果、中扉ＩＤのガラス板５２の遊技盤１２との間隙が、球噛みを生じないように一様に維持されることとなり、遊技球は、ガラス板５２と遊技盤１２との間において、球噛みを生じることなく、遊技盤１２の盤面１２ａに沿い円滑に転動することができる。
【０１０２】
なお、中扉ＩＤの遊技盤１２に対する対応部位は、透明のガラス板５２であることから、前扉ＦＤのガラス板６２及びガラス板５２を通して遊技盤１２の盤面を容易に視認することができる。従って、遊技者が遊技盤１２の盤面を容易に視認することができるので、遊技に支障はない。
【０１０３】
また、上述のごとく、前扉ＦＤが、その右側縁部にて、骨格構造部Ｂ１（換言すれば骨格構造部Ｂ１及びパネルＰＮのうち骨格構造部Ｂ１に対する対応パネル部位からなる筐体）の右側縁部に前後方向に回動可能に支持されるとともに、中扉ＩＤが、その右側縁部にて、組み付け枠１１の右側縁部に前後方向に回動可能に支持されている。
【０１０４】
換言すれば、前扉ＦＤ及び中扉ＩＤは、それぞれ、各右側縁部という同一側縁部にて、骨格構造部Ｂ１（換言すれば骨格構造部Ｂ１及びパネルＰＮのうち骨格構造部Ｂ１に対する対応パネル部位からなる筐体）の右側縁部及び組み付け枠１１の右側縁部に前後方向に回動可能に支持されている。
【０１０５】
従って、前扉ＦＤ及び中扉ＩＤは、その開成の際には、共に、同一方向、即ち、左側から右側に向かう方向へ回動する。このため、前扉ＦＤ及び中扉ＩＤは、その閉成の際には、上記同一方向とは逆の同一方向、即ち、右側から左側に向かう方向に回動する。その結果、前扉ＦＤ及び中扉ＩＤは、その開閉の際に、干渉しあうことなく、円滑に開閉することができる。
【０１０６】
また、上述のごとく、前扉ＦＤ及び中扉ＩＤは、その開閉の際には、共に、同左側から右側に向け或いは右側から左側に向けて回動する。従って、演出装置Ｓが循環式パチンコ遊技機Ｐにその左側にて一体的に設けられていても、前扉ＦＤ及び中扉ＩＤは、演出装置Ｓと干渉することなく、円滑に開閉され得る。
【０１０７】
また、上述のように、前扉ＦＤ及び中扉ＩＤは、その開成の際には、共に、同一方向、即ち、左側から右側に向かう方向へ回動するので、遊技盤１２の左上隅角部近辺の空間を広くすることができる。その結果、遊技盤１２の左上隅角部にて打ち込まれている遊技釘の調整を容易に行うことができる。
【０１０８】
ここで、演出装置Ｓが、その前面にて、循環式パチンコ遊技機Ｐの右側前方を斜めに臨むように当該循環式パチンコ遊技機Ｐと一体的に設けられているため、循環式パチンコ遊技機Ｐの左側前方空間が、演出装置Ｓのために狭くなる。
【０１０９】
しかしながら、上述のように、前扉ＦＤ及び中扉ＩＤは、その開成の際には、共に、同一方向、即ち、左側から右側に向かう方向へ回動するので、演出装置Ｓの存在にもかかわらず、遊技盤１２の左上隅角部近辺の空間を広くすることができる。その結果、演出装置Ｓの存在にもかかわらず、遊技盤１２の左上隅角部にて打ち込まれている遊技釘の調整を容易に行うことができる。
【０１１０】
なお、本発明の実施にあたり、上記実施形態に限ることなく、次のような種々の変形例が挙げられる。
（１）本発明の実施にあたり、骨格構造部Ｂ１は、骨格構造部Ｂ２とは別体に形成されていてもよい。
（２）本発明の実施にあたり、傾斜角度調整機構４０は、組み付け枠１１の後方枠部の下縁部１１ｂのうちその右側部位に限ることなく、例えば、左右方向中央部位に設けられてもよい。
（３）本発明の実施にあたり、傾斜角度調整機構４０において、下側板部材４２は、その固定板部４２ａにて、骨格構造部Ｂ１の下縁部上に着脱不能に固定するようにしてもよく、また、固定板部４２ａを廃止して、中間板部４２ｂを骨格構造部Ｂ１の下縁部から上方へ延出させるようにしてもよい。
（４）本発明の実施にあたり、傾斜角度調整機構４０のコ字状部材４１は、その基板４１ａを廃止して、左右両側板部４１ｂ、４１ｃのみを骨格構造部Ｂ１の下縁部から下方へ突出させるように構成してもよい。
（５）本発明の実施にあたり、上記実施形態にて述べた前後左右各側の高さ調整素子Ｂ４は、廃止してもよい。この場合には、遊技盤１２の盤面は、傾斜角度調整機構４０のみによって、水平方向に対し上記所定の傾斜角度を維持するように調整する。この場合、上記所定の傾斜角度は、上記実施形態にて述べたような小さな角度とは限らない。
（６）本発明の実施にあたり、パチンコ遊技ユニットを、演出装置Ｓを廃止して、循環式パチンコ遊技機Ｐのみにより構成するようにしてもよい。この場合にて、前後左右の各側のキャスターＢ３及び高さ調整素子Ｂ４は、筐体部Ｂ１の底壁に設ければよい。
【符号の説明】
【０１１１】
Ｂ１…骨格構造部、ＦＤ…前扉、ＩＤ…中扉、ＰＢ…遊技機本体、
ＰＮ…パネル、１１…組み付け枠、１２…遊技盤、２０…傾動支持機構、
２３…連結具、４０…傾動調整機構、５１…中枠、５２…ガラス板。
【図１】
0005244887.tif 000002
【図２】
0005244887.tif 000003
【図３】
0005244887.tif 000004
【図４】
0005244887.tif 000005
【図５】
0005244887.tif 000006
【図６】
0005244887.tif 000007
【図７】
0005244887.tif 000008
【図８】
0005244887.tif 000009
【図９】
0005244887.tif 000010
【図１０】
0005244887.tif 000011
【図１１】
0005244887.tif 000012
【図１２】
0005244887.tif 000013